(57)【特許請求の範囲】
【請求項１】
被加熱物を載置する一部または全部を透光性とした絶縁板と、前記絶縁板の下方に設けられ、前記被加熱物を加熱する加熱コイルと、前記加熱コイルによって加熱される部分を前記絶縁板を介して表示する複数の表示手段と、加熱コイルへの通電を制御する出力制御手段を備え、前記表示手段は、前記加熱コイルが発生する磁束の及ぶ近傍に備えられた第１及び第２の発光手段を備え、前記第１の発光手段は、第１の配線系統によって接続され、前記第１の配線系統の撚り線とした複数の配線は、前記加熱コイルの半径方向へ放射状に引き回されてなり、前記第２の発光手段は、前記第１の配線系統と分けた第２の配線系統によって接続され、前記第２の配線系統の撚り線とした複数の配線は、前記加熱コイルの半径方向へ放射状に引き回されてなり、前記第１及び前記第２の配線系統は、前記加熱コイルによって加熱される部分を表示するとともに、前記第１の配線系統は、前記出力制御手段からの制御情報を表示する誘導加熱調理器。
【発明の詳細な説明】
【０００１】
【発明の属する技術分野】
本発明は、一般家庭及び業務用として使用される誘導加熱調理器に関するものである。
【０００２】
【従来の技術】
従来、誘導加熱調理器において加熱コイルにより加熱される部分を表示する構成として、加熱コイル近傍の外周にＬＥＤなどの発光素子を設置し、必要に応じて点灯することで透光性のある絶縁板を透して加熱される部分を表示する誘導加熱調理器が開発されている。
【０００３】
以下に従来の加熱調理器について説明する。図５は加熱コイル置き台１０１の上に設けられた加熱コイル１０２と加熱コイル１０２の上方に設けられた透過性のある絶縁板１０３と、加熱コイル１０２の通電を制御する出力制御手段１０４により加熱部を形成し、加熱コイル１０２の外周に発光手段１０５を備えた表示手段１０６が配置され、加熱コイル１０２の位置が使用者にわかるように絶縁板を介して表示している。発光手段１０５である複数のＬＥＤは電気的に直列回路となるように結線され、加熱コイル１０２の外周を這うように配線されている。
【０００４】
【発明が解決しようとする課題】
上記構成において、加熱される部分を表示しながら誘導加熱動作を行う場合、加熱コイル２が発生する磁束によって発光手段への配線部に誘導起電力が発生し、発光手段５であるＬＥＤの明るさが変化したり、また、加熱される部分を表示せずに誘導加熱動作を行う場合であるにもかかわらず点灯するなどの誤点灯が発生したり、また、素子の耐圧を越える起電力による発光素子５の破壊といった不具合が発生していた。
【０００５】
また、表示手段への電力供給が一つの電源系統からなされるため、表示手段は加熱コイルが加熱する部分を表示すると同時に、出力制御手段からの制御情報を表示する必要がある場合に、輝度の変化や点滅周期の変化など、加熱コイルが加熱する部分を認識し難い表示手段の出力となり、さらに、前記電源系統からの電力供給に支障が発生した場合には表示ができなくなるといった不具合が発生していた。
【０００６】
本発明は、上記課題を解決するもので、加熱動作中においても、誘導加熱用の磁束といったノイズによる表示手段の輝度の変化や誤点灯、発光素子の破壊を防ぐことが可能な信頼性の高い誘導加熱調理器を提供することを目的とする。
【０００７】
また、表示手段の出力内容に応じて複数の電源系統から電力を供給して、加熱コイルによって加熱される部分を容易に識別することを可能とするとともに、一つの電源系統に支障が生じても他の電源系統からの電力によって、表示手段が出力することが可能な信頼性の高い誘導加熱調理器を提供することを目的とする。
【０００８】
【課題を解決するための手段】
上記目的を達成するために、本発明は、被加熱物を載置する一部または全部を透光性とした絶縁板と、前記絶縁板の下方に設けられ、前記被加熱物を加熱する加熱コイルと、前記加熱コイルによって加熱される部分を前記絶縁板を介して表示する複数の表示手段と、加熱コイルへの通電を制御する出力制御手段を備え、前記表示手段は、前記加熱コイルが発生する磁束の及ぶ近傍に備えられた第１及び第２の発光手段を備え、前記第１の発光手段は、第１の配線系統によって接続され、前記第１の配線系統の撚り線とした複数の配線は、前記加熱コイルの半径方向へ放射状に引き回されてなり、前記第２の発光手段は、前記第１の配線系統と分けた第２の配線系統によって接続され、前記第２の配線系統の撚り線とした複数の配線は、前記加熱コイルの半径方向へ放射状に引き回されてなり、前記第１及び前記第２の配線系統は、前記加熱コイルによって加熱される部分を表示するとともに、前記第１の配線系統は、前記出力制御手段からの制御情報を表示する誘導加熱調理器とする。
【０００９】
【発明の実施の形態】
本発明の請求項１記載の発明は、被加熱物を載置する一部または全部を透光性とした絶縁板と、前記絶縁板の下方に設けられ、前記被加熱物を加熱する加熱コイルと、前記加熱コイルによって加熱される部分を前記絶縁板を介して表示する複数の表示手段と、加熱コイルへの通電を制御する出力制御手段を備え、前記表示手段は、前記加熱コイルが発生する磁束の及ぶ近傍に備えられた第１及び第２の発光手段を備え、前記第１の発光手段は、第１の配線系統によって接続され、前記第１の配線系統の撚り線とした複数の配線は、前記加熱コイルの半径方向へ放射状に引き回されてなり、前記第２の発光手段は、前記第１の配線系統と分けた第２の配線系統によって接続され、前記第２の配線系統の撚り線とした複数の配線は、前記加熱コイルの半径方向へ放射状に引き回されてなり、前記第１及び前記第２の配線系統は、前記加熱コイルによって加熱される部分を表示するとともに、前記第１の配線系統は、前記出力制御手段からの制御情報を表示する構成であるため、加熱コイルが発生する磁束と発光手段への配線が交叉する角度を小さくすることで、配線部に発生する誘導起電力を抑えることが可能となり、表示手段の輝度の変化や誤点灯、素子の破壊を防ぐことが可能な信頼性の高い誘導加熱調理器を実現することができるという作用を有するものである。
【００１０】
また、複数の配線を撚り線として半径方向に放射状に設置することで、配線に重畳されるノイズをさらに抑えることが可能となり、いっそう信頼性が高くなる。
【００１１】
また、配線系統を分割する構成とするため、一つの配線系統に重畳されるノイズ量も分割され、高い信頼性を実現することができる。
【００１２】
【実施例】
（参考例１）
以下本発明の一参考例について、図面を参照しながら説明する。図１に示すように加熱コイル置き台１の上に設けられた加熱コイル２と加熱コイル２の上方に設けられた透光性のある絶縁板３と加熱コイル２への通電を制御する出力制御手段４により加熱部を形成し、絶縁板３より下方で加熱コイル２が発生する磁束の及ぶ近傍に、発光手段５を備えた複数の表示手段６によって、加熱コイル２の位置が使用者にわかるように絶縁板３を介して表示される。
【００１３】
発光手段５である複数のＬＥＤは、加熱コイル２が発生する磁束によって誘導加熱が可能である近傍に備えられ、電気的に直列回路となるように結線されている。発光手段５である複数のＬＥＤ間の配線は、加熱コイル２が発生する誘導加熱用の磁束と交叉する部分が少なくなるように、半径方向へ放射状に引き回されている。
【００１４】
以上のように構成された誘導加熱調理器について、その動作を説明する。出力制御手段４によって加熱コイル２への通電を制御することが可能となると、出力制御手段４は発光手段５への通電を開始し、表示手段６は加熱コイル２によって加熱される部分を明るく示し、使用者が鍋などの被加熱物を載置する場所を容易に識別することが可能となる。
【００１５】
以上のように本参考例によれば、発光手段５への配線が加熱コイル２の半径方向へ放射状に引き回されており、加熱コイル２が発生する誘導加熱用の磁束と交わる配線部分を少なくして、配線部に発生する誘導起電力を抑え、表示手段６の輝度の変化や誤点灯、素子の破壊を防ぐことが可能な信頼性の高い誘導加熱調理器を実現することができる。
【００１６】
（実施例１）
次に、図２を参照して本発明の実施例１を説明する。図２に於いて、加熱コイル置き台１、加熱コイル２、絶縁板３、出力制御手段４からなる加熱部は参考例１と同じ構成であり、表示手段６は加熱コイル２が発生する磁束の及ぶ近傍に設置された発光手段５を備え、発光手段５は第１の配線系統７と、第２の配線系統８から電力を供給される様に結線されるとともに、その配線は、加熱コイル２が発生する誘導加熱用の磁束と交叉する部分が少なくなるように、加熱コイル２の半径方向へと放射状に引き回されている。
【００１７】
以上のように構成された誘導加熱調理器について、その動作を説明する。出力制御手段４によって加熱コイル２への通電を制御することが可能となると、出力制御手段４は第１の配線系統７と、第２の配線系統８による発光手段５への通電を開始し、表示手段６によって加熱コイル２で加熱される部分を明るく表示する。この表示により、使用者が鍋などの被加熱物を載置する場所を容易に識別することが可能となる。
【００１８】
また、加熱コイル２への通電を開始した後、使用者が加熱しようとする被加熱物が誘導加熱に適さない負荷であったり、被加熱物を加熱する際の火力表示、被加熱物や絶縁板３が高温である、また、異常な動作状態であるといった制御情報を第１の配線系統７による通電によって表示するとともに、加熱コイル２によって加熱される部分を第２の配線系統８による通電によって表示する。
【００１９】
以上のように本実施例によれば、参考例１と同様に、配線部に発生する誘導起電力を抑えて、表示手段６の輝度の変化や誤点灯、素子の破壊を防ぐことが可能な信頼性の高い誘導加熱調理器を実現することができ、さらに、配線系統を分割する構成とするため、一つの配線系統に重畳されるノイズ量も分割され、実施例１より信頼性の高い誘導加熱調理器を実現することができる。
【００２０】
また、発光手段５は複数の配線系統によって通電される構成を有するため、使用者が、鍋などの被加熱物を載置する場所を容易に識別するのみならず、さらに火力表示、高温注意といった制御情報を識別することが可能となる。
【００２１】
また、一つの配線系統に接続された複数の発光手段５を含む表示手段６による出力を、加熱コイル２によって加熱される部分が識別できる様に、加熱コイルと同心円上に配置することで、複数の配線系統の一つが発光手段５への電力の供給に支障が生じても、他の配線系統に接続された複数の発光手段５を含む表示手段６の出力によって、加熱コイル２が加熱す部分が識別可能となる。
【００２２】
（参考例２）
次に、図３を参照して本発明の参考例２を説明する。図３に於いて、加熱コイル置き台１、加熱コイル２、絶縁板３、出力制御手段４からなる加熱部は参考例１と同じ構成であり、表示手段６は加熱コイル２が発生する磁束の及ぶ近傍に設置された発光手段５を備え、発光手段５は第１の電源系統９と、第２の電源系統１０から電力を供給される様に結線され、第２の電源系統１０は他の電源回路１１に接続されている。
【００２３】
以上のように構成された誘導加熱調理器について、その動作を説明する。出力制御手段４によって加熱コイル２への通電を制御することが可能となると、出力制御手段４は第１の電源系統９からの電力供給で発光手段５を発光させ、表示手段６は加熱コイル２によって加熱される部分を明るく示す。この表示により、使用者が鍋などの被加熱物を載置する場所を容易に識別することが可能となる。
【００２４】
また、加熱コイル２への通電を開始した後、加熱する際の火力表示、被加熱物や絶縁板３が高温で注意する必要があるといった制御情報を第２の電源系統１０によって他の電源回路１１からも電力供給を行い表示する。
【００２５】
以上のように本参考例によれば、発光手段５は複数の電源系統から電力供給される構成を有するため、使用者が鍋などの被加熱物を載置する場所を容易に識別することを可能にして、さらに火力表示、高温注意といった表示手段の出力として大きな消費電力を必要とする場合には他の電源系統からも電力を供給することが可能となり、また、一つの電源系統に支障が生じても他の電源系統により表示することが可能な信頼性の高い誘導加熱調理器を実現することができる。
【００２６】
（参考例３）
次に、図４を参照して本発明の参考例３を説明する。図４に於いて、加熱コイル置き台１、加熱コイル２、絶縁板３、出力制御手段４からなる加熱部は参考例１と同じ構成であり、表示手段６は加熱コイル２が発生する磁束の及ぶ近傍に設置された発光手段５を備え、発光手段５は第１の電源系統９と、第３の電源系統１２から電力を供給されるように結線され、第３の電源系統１２は、加熱コイル２とトランス結合する二次側コイル１３と、二次側コイル１３から得られる交流電力を発光手段５への電源へと変換する変換回路１４を介して接続されている。
【００２７】
以上のように構成された誘導加熱調理器について、その動作を説明する。出力制御手段４によって加熱コイル２への通電を制御することが可能となると、出力制御手段４は第１の電源系統９からの電力供給で発光手段５を発光させ、表示手段６は加熱コイル２によって加熱される部分を明るく示す。この表示により、使用者が鍋などの被加熱物を載置する場所を容易に識別することが可能となる。
【００２８】
また、加熱コイル２への通電を開始した後、加熱コイル２とトランス結合する二次側コイル１３から変換回路１４と、第３の電源系統１２を介して発光手段５へと電力が供給され、加熱する際の火力表示、高温注意といった制御情報を表示する。
【００２９】
以上のように本参考例によれば、発光手段５は複数の電源系統から電力供給される構成を有するため、使用者が鍋などの被加熱物を載置する場所を容易に識別することを可能にして、さらに誘導加熱動作中の火力表示、高温注意といった表示手段の出力として大きな消費電力を必要とする場合には加熱コイル２とトランス結合して電力を発生する電源系統からも電力を供給することが可能となり、一つの電源系統に支障が生じても他の電源系統により表示することが可能な信頼性の高い誘導加熱調理器を実現することができる。
【００３０】
また、二次側コイル１３から発光手段５への電力供給だけでは、誘導加熱動作を行うまで表示手段６が表示を行うことが不可能であり、加熱コイル２によって加熱される部分を明るく示すことができないが、本発明の構成とすることによって、第１の電源系統９の出力によって表示手段６が加熱コイル２によって加熱される部分を明るく表示することが可能となり、さらに、表示手段６の出力として大きな消費電力を必要とする場合には加熱コイル２とトランス結合して電力を発生する第３の電源系統１２からも電力を供給することを可能としている。
【００３１】
なお、上記実施例に於いては、発光手段５への配線が、加熱コイル２が発生する誘導加熱用の磁束と交わる部分が少なくなるように、加熱コイル２の半径方向へと放射状に引き回すことを重点的に説明しているが、一つの発光手段５に対して複数の配線が平行に引き回されている場合は、撚り線として半径方向に放射状に設置することで、配線に重畳されるノイズをさらに抑えることが可能となり、いっそう信頼性が高くなる。
【００３２】
また、本実施例には記載していないが、通常、誘導加熱調理器の加熱コイル２の下方にある加熱コイル置き台１にはフェライト等の磁性体が加熱コイル２の半径方向に備えられており、前記磁性体に加熱コイル２が発生する磁束が集中するため、前記磁性体とずれた位置に配線を施すことで配線に重畳されるノイズを抑える効果がある。
【００３３】
また、本実施例では発光手段５の具体例として半導体発光素子であるＬＥＤを使用しているが、これに限るものではなく豆球などのランプでも輝度の変化や誤点灯、破壊を防ぐことが可能であり、同様の効果を奏する。
【００３４】
また、本実施例の図面によれば、一つの表示手段６の中に、一つの発光手段５が含まれる構成としているが、複数の発光手段５を一つの表示手段の中に備えることで、輝度を上げたり、明るさのムラを抑えた表示ができるとともに、加熱コイル２が加熱する部分を表示することが可能となるため、本発明と同等の効果を奏する。
【００３５】
また、配線系統の異なる発光手段５、電源系統の異なる発光手段５、発光色の異なる発光手段５を同じ表示手段に備えることによって、加熱コイル２によって加熱される部分を表示しつつ制御情報を表示することが可能であり、また、一つの発光手段５に障害が発生しても他の発光手段５によって加熱コイル２が加熱する部分を表示することが可能となるため、本発明と同等の効果を奏する。
【００３６】
【発明の効果】
請求項１記載の発明によれば、加熱コイルが発生する磁束による配線部分への誘導起電力の影響を抑え、表示手段の輝度の変化や誤点灯、素子の破壊を防ぐことが可能な信頼性の高い誘導加熱調理器を提供できるという効果が得られる。
【００３７】
また、複数の配線を撚り線として半径方向に放射状に設置することで、配線に重畳されるノイズをさらに抑えることが可能となり、いっそう信頼性が高くなる。
【００３８】
また、配線系統を分割する構成とするため、一つの配線系統に重畳されるノイズ量も分割され、高い信頼性を実現することができる。
【００３９】
請求項２記載の発明によれば、表示手段は複数の配線系統によって通電され、前記表示手段の出力は前記加熱コイルによって加熱される部分の表示や、出力制御手段からの制御情報の表示について、配線系統を分けることで配線に重畳されるノイズ量を分散し、表示手段の輝度の変化や誤点灯、素子の破壊を防ぎつつ表示を行うことが可能な信頼性の高い誘導加熱調理器を提供できるという効果が得られる。
【図面の簡単な説明】
【図１】  本発明の第１の参考例の誘導加熱調理器における加熱コイル周辺の斜視図
【図２】  本発明の第１の実施例の誘導加熱調理器における加熱コイル周辺の斜視図
【図３】  本発明の第２の参考例の誘導加熱調理器における加熱コイル周辺の斜視図
【図４】  本発明の第３の参考例の誘導加熱調理器における加熱コイル周辺の斜視図
【図５】  従来の誘導加熱調理器における加熱コイル周辺の斜視図
【符号の説明】
１  加熱コイル置き台
２  加熱コイル
３  絶縁板
４  出力制御手段
５  発光手段
６  表示手段
７  第１の配線系統
８  第２の配線系統
９  第１の電源系統
１０  第２の電源系統
１１  他の電源回路
１２  第３の電源系統
１３  二次側コイル
１４  変換回路
【図１】
0004613381.tif 000002
【図２】
0004613381.tif 000003
【図３】
0004613381.tif 000004
【図４】
0004613381.tif 000005
【図５】
0004613381.tif 000006